(57)【要約】      （修正有）【課題】簡便に、ぬれた手足を乾燥することのできる、軽量で移動も容易な乾燥マットを提供する。【解決手段】吸気口１２を有する可撓性プレートからなるマットであって、前記マットが、その頂面に間隔を置いて設けた複数の送風口１３を有すると共に、前記吸気口から前記送風口に空気を流す流路１５を有することを特徴として乾燥マットを構成する。さらに、吸気口１２に電気加熱可能な送風装置２１，２２を配しても良い。【選択図】図３
0003157765.tif 000002
【実用新案登録請求の範囲】
【請求項１】
吸気口を有する可撓性プレートからなるマットであって、前記マットが、その頂面に間隔を置いて設けた複数の送風口を有すると共に、前記吸気口から前記送風口に空気を流す流路を有することを特徴とする乾燥マット。
【請求項２】
前記マットが、一体成形品であるか又は複数層のプレートが積層され組合されてなるマットである、請求項1に記載された乾燥マット。
【請求項３】
前記マットの頂面に２つのフットレストエリアが形成され、前記複数の送風口が前記２つのフットレストエリア内にそれぞれ分布する、請求項1又は２に記載された乾燥マット。
【請求項４】
前記マットの頂面が波形に形成されている、請求項１〜３の何れかに記載された乾燥マット。
【請求項５】
前記吸気口に電気加熱可能な送風装置を接続してなる、請求項１〜４の何れかに記載された乾燥マット。
【請求項６】
前記電気加熱可能な送風装置が電熱装置である加熱ユニットとファン装置である送風ユニットを含む、請求項５に記載された乾燥マット。
【請求項７】
前記吸気口に、外部送風装置からの送風を受けられる手段を有する、請求項１〜６の何れかに記載された乾燥マット。
【請求項８】
前記マット頂面の何れかの端部に紫外線殺菌装置が配されてなる、請求項１〜７の何れかに記載された乾燥マット。
【請求項９】
前記マット上に多機能化のための回路基板を配してなる、請求項1〜８の何れかに記載された乾燥マット。
【請求項１０】
前記回路基板にセンサが電気的に接続されてなる、請求項９に記載された乾燥マット。
【請求項１１】
前記マット上に、前記送風口からの排気が妨げられないように重量計及び表示装置を設置してなる請求項１〜１０の何れかに記載された乾燥マット。
【請求項１２】
前記重量計がシート状の圧力センサである、請求項１１に記載された乾燥マット。
【請求項１３】
前記回路基板が音楽装置と電気的に接続されている、請求項８〜１２の何れかに記載された乾燥マット。
【請求項１４】
前記回路基板が温度調整装置を介して前記加熱ユニットに電気的に接続されると共に、風速調整装置を介して前記送風ユニットに電気的に接続されている、請求項８〜１３の何れかに記載された乾燥マット。
【請求項１５】
前記回路基板が時間調整装置と電気的に接続されている、請求項８〜１４の何れかに記載された乾燥マット。
【請求項１６】
前記マットが、内部に収納スペースを有する台座内に、手又は足を挿入可能に収納されてなる、請求項１〜１５の何れかに記載された乾燥マット。
【考案の詳細な説明】
【技術分野】
【０００１】
本考案はマット装置に関し、特に乾燥と殺菌の機能を備えた乾燥マットに関する。
【背景技術】
【０００２】
一般の人々はプール、サウナ、温泉などの公共の場所、或いは自宅で入浴した後、通常頭髪を乾燥させ、足部に至ってはタオルでざっと拭うだけで済ます場合が多い。このように、足部が完全に乾燥するのを待つ時間を節約し、足部が乾いていない状態で靴下や靴を履いて外出することがよくあるために、足部が不快になる。そこで、ヘアドライヤを足部に向けて吹き付けて足部の乾燥を速める人もいるが、こうした行為は公共の場所では上品とは言えず、時間も無駄であり、そのうえ完全に乾燥させることもできない。
【０００３】
現在、市場には既に多種類の足乾燥機が出回っている（例えば特許文献１）。それらはハウジング内に２つのフットレストエリアを設け、ファンと紫外線殺菌ランプを取り付けて、ユーザーの足部を乾燥させると共に、紫外線殺菌効果を提供する。しかし、前記足乾燥機はユーザーの足部を収納する中空状のハウジングを備えており、その体積が非常に大きく、持ち運びに不便で、載置すると大きなスペースを取るので、使用面で非常に不便である。
【０００４】
そこで本考案者は、上記の欠点を改善するために鋭意検討した結果、合理的設計をすることによって上記の欠点を効果的に改善することができることを見出し、本考案を完成するに至った。
【先行技術文献】
【特許文献】
【０００５】
【特許文献１】台湾特許Ｍ３４７９１５号明細書
【考案の概要】
【考案が解決しようとする課題】
【０００６】
したがって本考案の第１の目的は、軽くて薄い、持ち運びに便利な長所を有すると共に、足部を迅速に乾燥させて足部の不快感や皮膚病の誘発を防止することができ、しかも操作が便利で時間の節約になる乾燥マットを提供することにある。
【０００７】
本考案の第２の目的は、ユーザーが足部をマットの頂面に置くだけで送風乾燥と紫外線による殺菌の効果を得ることができる、非常に便利な乾燥マットを提供することにある。
【０００８】
更に本考案の第３の目的は、手乾燥機としての使用も可能な乾燥マットを提供することにある。
【課題を解決するための手段】
【０００９】
即ち本考案は、吸気口を有する可撓性プレートからなるマットであって、前記マットが、その頂面に間隔を置いて設けた複数の送風口を有すると共に、前記吸気口から前記送風口に空気を流す流路を有することを特徴とする乾燥マットである。
【００１０】
本考案における、前記マットを構成する可撓性プレートは、一体成形されても複数層のプレートが積層され組合わされたものであっても良い。また、該マットの頂面には、足を載せるフットレストエリアを設けることが好ましく、前記送風口をこのフットレストエリア内に設けることが好ましい。
【００１１】
本法案の乾燥マットは、送風装置及び／又は紫外線殺菌装置を有することが、足部等の乾燥をより迅速に行ったり、殺菌を行ったりする観点から好ましい。
また、プレート上に回路基板を配置して、温度調節、風量調節、時間調節、或いは音楽を聞く等の多機能化を図ることが、ユーザーの多様なニーズに対応する観点から好ましい。
【考案の効果】
【００１２】
本考案の乾燥マットは、浴室の入口等に置いてマットとして使用することにより、簡便にユーザーの足部の送風乾燥と紫外線による殺菌を行い、足部を完全に乾燥させて足部の不快感や皮膚病の誘発を防止することができるだけでなく、軽くて薄い、持ち運びに便利であるという長所がある上、台座内に湾曲させて配置することもできるので、乾燥と殺菌の機能を備えた手乾燥機を構成することもでき、用途も広いという本考案格別の効果がある。
【図面の簡単な説明】
【００１３】
【図１】本考案の乾燥マットの１実施例を示す斜視図である。
【図２】本考案の乾燥マットの１実施例を示す断面図である。
【図３】本考案の乾燥マットの使用状態を示す１実施例の概略図である。
【図４】本考案の乾燥マットの、他の実施例を示す斜視図である。
【図５】本考案の乾燥マットの、更に他の実施例を示す斜視図である。
【図６】本考案の乾燥マットを、手乾燥機として使用した場合の例を示す平面図である。
【図７】紫外線殺菌装置を横端部に配した本考案の乾燥マットの例を示す斜視図である。
【図８】音楽装置等の機能をも追加した、本考案の乾燥マットの例を示す斜視図である。
【図９】送風装置を外付けした、本考案の乾燥マットの例を示す斜視図である。
【図１０】波形のプレート表面を有する、本考案の乾燥マットの例を示す断面図である。
【考案を実施するための形態】
【００１４】
以下に、実施例によって本考案の特徴や技術内容を一層理解できるように詳細に説明するが、添付図面は説明用として供した参考図面に過ぎず、本考案がこれらによって限定されるものではない。
【００１５】
図１〜図３は、マット１、送風装置２及び紫外線（ＵＶ）殺菌装置３を含む、本考案の乾燥マットの代表的な例における、斜視図、縦断面図及び使用状態を表す図である。このうち前記マット１はプレートであって可撓性素材で製造され、湾曲させることができる。前記マット１の外形とサイズには制限が無く、必要に応じて適宜設計することができる。本実施例では前記マット１は長方形であり、一体成形するか或いは複数層のプレート１１を積層し組合せて製造する。
【００１６】
本実施例ではマット１の前側に吸気口１２が設けられているが、該吸気口１２を設ける位置には制限が無く、吸気口１２はマット１の後側、左側又は右側などその他の位置にも設置することができる。前記マット１の頂面には間隔を置いて複数の送風口１３を設けるが、本実施例に示したように、前記マット１のプレート１１の頂面に２つのフットレストエリア１４を形成してユーザーが足部を置けるようにし、前記複数の送風口１３を前記２つのフットレストエリア１４内に分布させることが好ましい。本実施例では前記複数の送風口１３は円形であるが、送風口１３の形状には制限が無く、適宜設計することができる。前記吸気口１２から前記複数の送風口１３に空気を流す流路についても適宜設計することができる。例えば、マット１の内部全体が流路となっても良いし、複数本の流路１５で前記吸気口１２と送風口１３とを連接し、該流路１５をマット１の内部に内包させても良い。この場合は、該流路１５の送風出口と、プレート１１頂面の送風口とを、例えば接着剤を用いて密着させる必要があることは当然である。
【００１７】
本実施例では、送風装置２がマット１の吸気口１２と接するように前記マット１の前側に設置されているが、送風装置２の設置位置は特に制限されるものではなく、例えば、本考案の乾燥マット外に配置し、送風管を介して吸気口１２と接続することもできる。また、マット１の後側、左側又は右側などその他の位置に設置することもできる。本実施例では、送風装置２として加熱ユニット２１と送風ユニット２２を含む電気加熱可能な送風装置が使用されているが、加熱ユニットのない送風装置を使用しても良い。
【００１８】
本実施例では、前記加熱ユニット２１は電熱装置で、前記送風ユニット２２はファン装置であり、前記加熱ユニット２１と前記送風ユニット２２は適切な電源コード２３と電気的に接続され、必要に応じて適宜温度調整装置等を介し、適切な電力を加熱ユニット２１と送風ユニット２２に送電して、加熱ユニット２１と送風ユニット２２を作動させる。前記送風ユニット２２で外部の空気を送り込み、加熱ユニット２１で加熱して高温の空気を発生させる。この加熱された空気は、マット１の吸気口１２、流路１５を順次経由して前記複数の送風口１３から排気され、マット１上に置かれたユーザーの足部を乾燥する（図３参照）。
【００１９】
マット１上に設置する紫外線殺菌装置３は、本実施例ではマット１上の前側、即ち２つのフットレストエリア１４の前方に設置されているが、その設置位置には制限が無く、マット１の後側、左側（図７参照）又は右側など、任意の位置に設置することができる。前記紫外線殺菌装置３は少なくとも１つの紫外線ランプ３１を有し、前記紫外線ランプ３１の両端はランプ台３２に差し込まれている。前記２つのランプ台３２は前記電源コード２３に電気的に接続され、適切な電力が供給されると紫外線ランプ３１が点灯し、マット１上に置かれたユーザーの足部を紫外線照射して殺菌する（図３参照）。
【００２０】
図４は、マット１上に回路基板４を取り付けた実施例である。この回路基板４はセンサ４１に電気的に接続され、また、送風装置２と紫外線殺菌装置３がこの回路基板４に電気的に接続される。これによって例えば、ユーザーの足部がマット１上に置かれると、前記センサ４１が感知して前記送風装置２と紫外線殺菌装置３が自動的に起動する、自動起動機能が備わる。
【００２１】
図５は、マット１上に重量計５を設置した実施例である。この重量計５は電子型式であっても機械型式であってもよく、この場合、２つのフットレストエリア１４は重量計５上に設けられる。また、この実施例では、マット１上に液晶ディスプレイの表示装置６が設置されており、ユーザーの足部がマット１上に置かれると、前記重量計５でユーザーの体重が計測され、その値が表示装置６に表示される。このようにすることによって、本考案の乾燥マットに体重計機能をも兼備させることができる。
【００２２】
本考案においては、更に、前記回路基板４に、音楽装置４２、温度調整装置４３、風速調整装置４４及び時間調整装置４５等を電気的に接続することによって（図８参照）、音楽放送、送風装置２の温度と風速の調整、送風装置２と紫外線殺菌装置３の時間設定調整等の機能を備えることができるが、これらの機能は公知の方法によって容易に具現化することができる。
【００２３】
図６は、本考案の乾燥マットを手乾燥機として使用する例である。即ち、マット１は可撓性素材で製造されており湾曲させることができるので、後から手や足を挿入することができるように、台座７内に設置することができる。例えば、内部に収納スペース７１を有する、前方が開口された台座７を壁に固定し、送風口１３が表面に出るように湾曲させたマット１を前記台座７の収納スペース７１内に設置すると、乾燥と殺菌の機能を有する本考案の乾燥マットを、手乾燥機として使用することができる。
【００２４】
図９は、送風装置として外付けタイプの送風装置２’を採用した本考案の乾燥マットの例である。この場合の送風装置２’は市販のドライヤー等の装置でよく、マット１の吸気口１２に連接管２１’を介して、高温の空気を供給すれば良い。
【００２５】
図１０は、本考案のマット１の頂面を波状とした例である。これによって、乾燥効果を加速させることができる。
【００２６】
本考案の乾燥マットを浴室の入口等に置いてマットとして使用すれば、ユーザーの足部を迅速に乾燥すると共に紫外線によって殺菌することもできるので、足部の不快感や皮膚病の誘発を防止することができる。しかも操作が便利で時間の節約になる。
【００２７】
以上の説明は本考案の好ましい実施例を説明したものであり、本考案の権利範囲を限定するものではない。従って本考案の明細書及び図面に基づいて容易に行うことのできる設計変更は、何れも本考案の権利範囲に含まれるものである。
【産業上の利用可能性】
【００２８】
本考案に係るマット１は可撓性の素材で製造されているので、本考案の乾燥マットは、軽くて薄い、持ち運びに便利であると共に、足部をマット１の頂面に置くだけで使用が可能であるという手軽さがある上、手乾燥機等として使用することもできるなど、種々のニーズに対応させることができるので、産業上極めて有意義である。
【符号の説明】
【００２９】
１    マット
１１  プレート
１２  吸気口
１３  送風口
１４  フットレストエリア
１５  流路
２    送風装置
２１  加熱ユニット
２２  送風ユニット
２３  電源コード
２’  送風装置
３    紫外線殺菌装置
３１  紫外線ランプ
３２  ランプ台
４    回路基板
４１  センサ
４２  音楽装置
４３  温度調整装置
４４  風速調整装置
４５  時間調整装置
５    重量計
６    表示装置
７    台座
７１  収納スペース
【図１】
0003157765.tif 000003
【図２】
0003157765.tif 000004
【図３】
0003157765.tif 000005
【図４】
0003157765.tif 000006
【図５】
0003157765.tif 000007
【図６】
0003157765.tif 000008
【図７】
0003157765.tif 000009
【図８】
0003157765.tif 000010
【図９】
0003157765.tif 000011
【図１０】
0003157765.tif 000012
【手続補正書】
【提出日】平成21年12月11日(2009.12.11)
【手続補正１】
【補正対象書類名】実用新案登録請求の範囲
【補正対象項目名】全文
【補正方法】変更
【補正の内容】
【実用新案登録請求の範囲】
【請求項１】
吸気口を有する可撓性プレートからなるマットであって、前記マットが、その頂面に間隔を置いて設けた複数の送風口を有すると共に、前記吸気口から前記送風口に空気を流す流路を有することを特徴とする乾燥マット。
【請求項２】
前記マットが、一体成形品であるか又は複数層のプレートが積層され組合されてなるマットである、請求項1に記載された乾燥マット。
【請求項３】
前記マットの頂面に２つのフットレストエリアが形成され、前記複数の送風口が前記２つのフットレストエリア内にそれぞれ分布する、請求項1又は２に記載された乾燥マット。
【請求項４】
前記マットの頂面が波形に形成されている、請求項１〜３の何れかに記載された乾燥マット。
【請求項５】
前記吸気口に電気加熱可能な送風装置を接続してなる、請求項１〜４の何れかに記載された乾燥マット。
【請求項６】
前記電気加熱可能な送風装置が電熱装置である加熱ユニットとファン装置である送風ユニットを含む、請求項５に記載された乾燥マット。
【請求項７】
前記吸気口に、外部送風装置からの送風を受けられる手段を有する、請求項１〜６の何れかに記載された乾燥マット。
【請求項８】
前記マット頂面の何れかの端部に紫外線殺菌装置が配されてなる、請求項１〜７の何れかに記載された乾燥マット。
【請求項９】
前記マット上に多機能化のための回路基板を配してなる、請求項1〜８の何れかに記載された乾燥マット。
【請求項１０】
前記回路基板にセンサが電気的に接続されてなる、請求項９に記載された乾燥マット。
【請求項１１】
前記回路基板が音楽装置と電気的に接続されている、請求項９又は１０に記載された乾燥マット。
【請求項１２】
前記回路基板が温度調整装置を介して前記加熱ユニットに電気的に接続されると共に、風速調整装置を介して前記送風ユニットに電気的に接続されている、請求項９〜１１の何れかに記載された乾燥マット。
【請求項１３】
前記回路基板が時間調整装置と電気的に接続されている、請求項９〜１２の何れかに記載された乾燥マット。
【請求項１４】
前記マット上に、前記送風口からの排気が妨げられないように重量計及び表示装置を設置してなる請求項１〜１３の何れかに記載された乾燥マット。
【請求項１５】
前記重量計がシート状の圧力センサである、請求項１４に記載された乾燥マット。
【請求項１６】
前記マットが、内部に収納スペースを有する台座内に、手又は足を挿入可能に収納されてなる、請求項１〜１５の何れかに記載された乾燥マット。
【手続補正書】
【提出日】平成21年12月14日(2009.12.14)
【手続補正１】
【補正対象書類名】実用新案登録請求の範囲
【補正対象項目名】全文
【補正方法】変更
【補正の内容】
【実用新案登録請求の範囲】
【請求項１】
吸気口を有する可撓性プレートからなるマットであって、前記マットが、その頂面に間隔を置いて設けた複数の送風口を有すると共に、前記吸気口から前記送風口に空気を流す流路を有することを特徴とする乾燥マット。
【請求項２】
前記マットが、一体成形品であるか又は複数層のプレートが積層され組合されてなるマットである、請求項1に記載された乾燥マット。
【請求項３】
前記マットの頂面に２つのフットレストエリアが形成され、前記複数の送風口が前記２つのフットレストエリア内にそれぞれ分布する、請求項1又は２に記載された乾燥マット。
【請求項４】
前記マットの頂面が波形に形成されている、請求項１〜３の何れかに記載された乾燥マット。
【請求項５】
前記吸気口に電気加熱可能な送風装置を接続してなる、請求項１〜４の何れかに記載された乾燥マット。
【請求項６】
前記電気加熱可能な送風装置が電熱装置である加熱ユニットとファン装置である送風ユニットを含む、請求項５に記載された乾燥マット。
【請求項７】
前記吸気口に、外部送風装置からの送風を受けられる手段を有する、請求項１〜６の何れかに記載された乾燥マット。
【請求項８】
前記マット頂面の何れかの端部に紫外線殺菌装置が配されてなる、請求項１〜７の何れかに記載された乾燥マット。
【請求項９】
前記マット上に多機能化のための回路基板を配してなる、請求項1〜８の何れかに記載された乾燥マット。
【請求項１０】
前記回路基板にセンサが電気的に接続されてなる、請求項９に記載された乾燥マット。
【請求項１１】
前記回路基板が音楽装置と電気的に接続されている、請求項９又は１０に記載された乾燥マット。
【請求項１２】
前記マット上に多機能化のための回路基板を有すると共に、該回路基板が温度調整装置を介して前記加熱ユニットに電気的に接続され、風速調整装置を介して前記送風ユニットに電気的に接続されている、請求項６に記載された乾燥マット。
【請求項１３】
前記回路基板が時間調整装置と電気的に接続されている、請求項９〜１２の何れかに記載された乾燥マット。
【請求項１４】
前記マット上に、前記送風口からの排気が妨げられないように重量計及び表示装置を設置してなる請求項１〜１３の何れかに記載された乾燥マット。
【請求項１５】
前記重量計がシート状の圧力センサである、請求項１４に記載された乾燥マット。
【請求項１６】
前記マットが、内部に収納スペースを有する台座内に、手又は足を挿入可能に収納されてなる、請求項１〜１５の何れかに記載された乾燥マット。